(57)【要約】      （修正有）【課題】宅配物に対する盗難防止等のためのセキュリティ性、耐水性に優れ、かつ、省スペース化が図れ、主に一般個人住宅における留守時の宅配物の受け取り用として好適な自立折り畳み式宅配バッグを提供する。【解決手段】袋状で開口部から内部に入れられる宅配物Ｍを収納するとともに折り畳み、拡開可能に構成したバッグ本体と、バッグ本体の開口部を一対のスライダー操作片を用いた線ファスナー３を使用して開口状態又は施封状態とする蓋部とを一体化した耐水性素材、軽量素材を用いた宅配物用バッグ体と、宅配物用バッグ体を自立状態に載置可能な軽量素材からなる自立支持体１１と、宅配物用バッグ体に一端部が分離不能に取り付けられ、建造物５１の取っ手５３に中間部が掛け回される防犯用のワイヤ材を含む条体７と、施封状態とした線ファスナー３の一対のスライダー操作片と、条体７の他端部とを分離不能にロックする施錠体９と、を有する。【選択図】図１０
0003226538.tif 000002
【実用新案登録請求の範囲】
【請求項１】
袋状で開口部から内部に入れられる宅配物を収納するとともに折り畳み、拡開可能に構成したバッグ本体と、前記バッグ本体の開口部に線ファスナーを使用して施封状態とする蓋部とを一体化した宅配物用バッグ体と、
前記宅配物用バッグ体を自立状態に載置可能な自立支持体と、
前記宅配物用バッグ体に一端部が分離不能に取り付けられ、建造物の固定部材に中間部が掛け回される防犯用の条体と、
施封状態とした前記線ファスナーの施封端部と、前記建造物の固定部材に掛け回された条体の他端部とを分離不能にロックする施錠体と、
を有することを特徴とする自立折り畳み式宅配バッグ。
【請求項２】
袋状で開口部から内部に入れられる宅配物を収納するとともに折り畳み、拡開可能に構成したバッグ本体と、前記バッグ本体の開口部を一対のスライダー操作片を用いた線ファスナーを使用して開口状態又は施封状態とする蓋部とを一体化した耐水性素材、軽量素材を用いた宅配物用バッグ体と、
前記宅配物用バッグ体を自立状態に載置可能な軽量素材からなる自立支持体と、
前記宅配物用バッグ体に一端部が分離不能に取り付けられ、建造物の固定部材に中間部が掛け回される防犯用のワイヤ材を含む条体と、
施封状態とした前記線ファスナーの一対のスライダー操作片と、前記建造物の固定部材に掛け回された条体の他端部とを分離不能にロックする施錠体と、
を有することを特徴とする自立折り畳み式宅配バッグ。
【請求項３】
前記宅配物用バッグ体は、ターポリン材を用い熱溶着による所要部分の溶着により形成されたものであることを特徴とする請求項１又は２記載の自立折り畳み式宅配バッグ。
【請求項４】
前記自立支持体は、アルミニウム材を用い宅配物用バッグ体を自立支持可能に形成されたものであることを特徴とする請求項１乃至３のいずれかに記載の自立折り畳み式宅配バッグ。
【考案の詳細な説明】
【技術分野】
【０００１】  本考案は、自立折り畳み式宅配バッグに関し、詳しくは、宅配物に対する収納自由度が大きく、盗難防止等のセキュリティ性にも優れ、主に一般個人住宅における宅配物の留守時の受け取り用として好適な簡略構造の自立折り畳み式宅配バッグに関するものである。
【背景技術】
【０００２】  昨今、ネットショッピングは利便性の高さや価格面で老若男女を問わず日常生活に欠かせないものとなってきており、これに伴い宅配物の量も多大なものとなって来ている。【０００３】しかし、核家族化、共働き世帯の増加により、受取人側の住居における留守時間も多くなり、一回目の配達時には宅配物を受け取れず、｛再配達サービス｝を利用する場合が増加傾向にある。【０００４】しかし、受取人側は自宅に帰宅した後再配送サービスの依頼をしなければならず煩雑な手間を労することを余儀なくされている。【０００５】留守時に宅配物を受け取る手段としては、宅配物受け取りボックスも出現しているが、このような宅配物受け取りボックスは占有スペースが大きく、玄関先等における省スペース化の点で問題があり、この為、省スペース化を図り、取り扱い性に優れ、且つ、簡略構造の宅配物受け取り用のバックの出現が望まれているところです。【０００６】  本出願人は、先に、袋状で開口部から内部に入れられる宅配物を収納するとともに丸め込み可能で耐水性を有するバック本体と、前記バック本体の開口部を施封する宅配物施封機構部と、前記バック本体に設けられると共に、宅配物施封機構部により施封された開口部領域を覆うとともに、ロック片を備える前記バック本体と同一素材からなる投入口蓋体と、建造物の固定部材に中間部が掛け回される防犯用の条体と、前記バッグ本体に取り付けられ、前記投入口蓋体に備えたロック片、及び、前記条体の端部のバック本体に対するロック、ロック解除を行うダイヤル錠機構部と、を有する錠付き宅配物用バッグを提案し、実用新案登録を受けている（特許文献１）。
【先行技術文献】
【特許文献】
【０００７】
【特許文献１】実用新案登録第３２１２９４３号公報
【考案の概要】
【考案が解決しようとする課題】
【０００８】    本考案は、上記特許文献１の技術を踏まえ、宅配物に対する収納自由度が大きく、盗難防止等のためのセキュリティ性、耐水性にも優れ、且つ、省スペース化が図れ、軽量で取り扱い性に優れ、しかも簡略構造であり、主に一般個人住宅における留守時の宅配便の受け取り用として好適な自立折り畳み式宅配バックを提供するものである。
【課題を解決するための手段】
【０００９】    本考案に係る自立折り畳み式宅配バックは、袋状で開口部から内部に入れられる宅配物を収納するとともに折り畳み、拡開可能に構成したバッグ本体と、前記バッグ本体の開口部に線ファーストを使用して施封状態とする蓋体とを一体化した宅配物用バッグ体と、前記宅配物用バッグ体を自立状態に載置可能な自立支持体と、前記宅配物用バッグ体に一端部が分離不能に取り付けられ、建造物の固定部材に中間部が掛け回される防犯用の条体と、施封状態とした前記ファスナーの施封端部と、前記建造物の固定部材に掛け回された条体の他端部とを分離不能にロックする施錠体と、を有することを最も主要な特徴とする。
【考案の効果】
【００１０】    請求項１記載の考案によれば、宅配物に対する収納自由度が大きく、盗難防止等の為のセキュウリティ性に優れ、且つ、省スペース化が図れ、しかも簡略構造であり、主に一般個人住宅における留守時の宅配物の受け取り用として好適な自立折り畳み式宅配バッグを提供することができる。【００１１】    請求項２の記載の考案によれば、宅配物に対する収納自由度が大きく、盗難防止等のためのセキュリティ性に優れ、且つ、省スペース化が図れ、軽量で取り扱い性、耐水性に優れ、しかも簡略構造であり、主に一般個人住宅における留守時の宅配物の受け取り用として好適な自立折り畳み式宅配バッグを提供することができる。【００１２】    請求項３記載の考案によれば、請求項１又は２記載の考案において、前記宅配物用バッグ体を、ターポリン材を用い熱溶着による所要部分の溶着により形成した構造の基に、請求項１又は２記載の考案と同様な効果を奏する自立折り畳み式宅配バックを提供することができる。【００１３】    請求項４記載の考案によれば、請求項１乃至３のいずれかに記載の考案において、前記自立支持体を、アルミニューム材を用いた宅配物用バッグを自立支持可能に形成した構成の基に請求項１乃至３のいずれかに記載の考案と同様な効果を奏する自立折り畳み式宅配バッグを提供することができる。
【図面の簡単な説明】
【００１４】
【図１】図１は本考案の実施例に係る自立折り畳み式宅配バッグの使用状態の概略斜視図である。
【図２】図２は本実施例に係る自立折り畳み式宅配バッグの使用状態を透視図形態で示す概略斜視図で有る。
【図３】図３は本実施例に係る自立折り畳み式宅配バッグの折り畳み状態の概略斜視図で有る。
【図４】図４は本実施例に係る自立折り畳み式宅配バッグの折り畳み状態を透視図形態で示す概略斜視図で有る。
【図５】図５は本実施例に係る自立折り畳み式宅配バッグにおけるバッグ本体と一体化する蓋部の概略生地裁断図である。
【図６】図６は本実施例に係る自立折り畳み式宅配バックにおけるバッグ本体の展開状態の概略生地裁断図である。
【図７】図７は本実施例に係る自立折り畳み式宅配バッグにおける蓋部に対して分離不能に取り付ける条件の一端部を示す部分拡大斜視図である。
【図８】図８は本実施例に係る自立折り畳み式宅配バッグにおける施封状態の線ファスナーのスライダー操作片、及び条件の他端部の施錠体によるロック状態を示す部分拡大斜視図である。
【図９】図９は本実施例に係る自立折り畳み式宅配バッグにおける自立支持体の概略斜視図である。
【図１０】図１０は本実施例に係る自立折り畳み式宅配バッグの宅配物を収納した具体的使用態様を示す概略斜視図である。
【考案を実施するための形態】
【００１５】  本考案は、宅配物に対する収納自由度が大きく、盗難防止等のためのセキュリテイー性、耐久性にも優れ、且つ、省スペース化が図れ、軽量で取り扱い性に優れ、しかも簡略構造で有り、主に一般個人住宅における留守時の宅配物の受け取り用として好適な自立折り畳み式宅配バッグを提供するという目的を、袋状で開口部から内部に入れられる宅配物を収納するとともに折り畳み、拡開可能に構成したバッグ本体と、前記バック本体の開口部を一対のスライダー操作片を用いた線ファスナーを使用して開口状態又は施封とする蓋部とを一体化した耐水性素材、軽量素材を用いた宅配物用バッグ体と、前記宅配物用バッグ体を自立状態に積載可能な軽量素材からなる自立支持体と、前記宅配物用バッグ体に一端部が分離不能に取り付けられ、建造物の固定部材に中間部が掛け回される防犯用のワイヤ材を含む条体と、施封状態とした前記線ファスナーの一対のスライダー操作片と、前記建造物の固定部材に掛け回された条体の他端部とを分離不能にロックする施錠体と、を有する構成により実現した。
【実施例】
【００１６】  以下図面を参照して、本考案の実施例に係る自立折り畳み式宅配バッグについて詳細に説明する。【００１７】  本実施例に係る自立折り畳み式宅配バッグ１は、図１乃至図９に示すように、袋状で開口部２ａから内部に入れられる宅配物Ｍを収納するとともに折り畳み、拡開可能に構成したバッグ本体２と、前記バッをグ本体２の開口部２ａを一対のスライダー操作片４を用いた線ファスナー３を使用して開口状態又は施封状態とする蓋部５とを一体化した耐水性素材、軽量素材を用いた宅配物用バッグ６と、前記宅配物用バッグ体６を自立状態に載置可能な軽量素材からなる自立支持体１１と、前記宅配物用バッグ体６に対して一端部７ａが分離不能に取り付けられ、建造物５１の玄関扉５２に設けた固定部材である取って５３に中間部が掛け回される防犯世用のワイヤー材８を含む被覆付きの条体７と、施封状態とした前記線ファスナー３の一対のスライダー操作片４と、前記玄関扉２２に設けた取手２３に掛け回された条体７の他端部７ｂとを分離不能にロックする例えば鍵付き南京錠からなる施錠体９と、を有している。【００１８】  前記バッグ本体２の宅配物Ｍの収納容量は、例えば５２リットル程度としている。前記自立折り畳み式宅配バッグ１における宅配物用バッグ体６を使用状態とした場合における自立支持体１１上の外観形態、透視図形形態を図１、図２に示す。又、前記自立折り畳み式宅配バッグ１における前記宅配物用のバッグ体６を折り畳み状態とし蓋部５により施蓋した場合における自立支持体１１上の外観形態、透視図形態を図３、図４に示す。【００１９】  尚、図１乃至図４に於いて、１２，１３は、前記自立折り畳み式宅配バッグ１の折り畳み時に使用する固定ホックである。【００２０】  又、図１、図２において、１４、１５は、前記自立折り畳み式宅配バッグ１の折り畳み時に使用する面ファスナーである。【００２１】  前記宅配物用バッグ体６の各生地部は、繊維の布を軟質の合成樹脂フイルムでサンドイッチした複合シートからなり、軽量性、耐水性に優れたターポリン材により形成している。【００２２】また、本実施例においては、前記宅配物用バッグ体６の各生地部の所要の接合箇所を熱溶着（例えば高周波ウエルダーにより熱溶着）で溶着し縫い目無しの構成としている。【００２３】  次に、図５、図６を参照して、前記バッグ本体２と一体化する蓋部５、及び、バッグ本体２の各生地裁断例について説明する。【００２４】  前記蓋部５は図５に示すように、略長方形状で一端側にバッグ本体２への取り付け片部２１、他端側に蓋片部２２を形成し、これらの外周部の所要箇所に小幅の熱溶着代２３を形成している。【００２５】  前記取り付け片部２１は、図５において上辺、右辺及び下辺に所定幅の熱容着領域（淡灰色で示す）２４を形成している。【００２６】  さらに、前記取り付け片部２１には、小間隔をもって２個のハトメ穴２５と、一方の端縁側近くに位置して所定の間隔もって固定ホックの２個のホック穴２６とを形成している。【００２７】  前記蓋片部２２５にも固定ホック用の２個のホック穴２６を形成するとともに、この蓋片部２２の他方の端縁側両隅部を弧状に形成して、この蓋片部２２の上辺、右辺及び下辺にわたる端縁領��２２ａを前記線ファスナー３の図示しないテープ部の縫製領域としている。【００２８】  前記バッグ本体２は、図示６に示すように、全体として略長方形状で、図６において右端側中央部から左端中央部にわたって、順に長方形状の後部上辺３１、長方形状の開口部２ａ、長方形状の前面上片３２、長方形状の前面下片３３、長方形状の底片３４、長方形状の後部下片３５を連設している。【００２９】  前記バッグ本体２の前周にわたって熱溶着代３６を形成している。【００３０】  前記前面上辺３２、全面下片３３の図６において上側領域には長方形状の右側片３７を、図６において下側領域には長方形状の左側片３８を形成している。そして、前記前面上片３２、前面下片３３の上辺部及び下片部には、各々隣り合わせで折り畳み時に使用する面ファスナー１４、１５を縫製している。【００３１】  前記後部上片３１には、前記蓋部５の熱溶着領域２４と接合し、この蓋部５をバッグ本体２に対して熱溶着させるための熱溶着領域を設けている。【００３２】  この他、前記後部上片３１、後部下片３５には各々固定ホック用の２個のホック穴４０を形成している。【００３３】  尚、図６に示す斜線は、バッグ本体２の拡開又は折り畳みに使用する折込ラインとして機能するものである。【００３４】  次に、図７を参照して前記自立折り畳み式宅配バッグにおける蓋部５に対して分離不能に取り付ける条体７の一端部７ａについて説明する。【００３５】  前記ワイヤ材８を含む被覆付きの条体７の一端部７ａは、蓋部５の取り付け片部２１に設けた２個のハトメ穴２５に各々止着したハトメ３０に掛け回されるかつ蓋部５の後方領域で後続の条体７の部分と重合され固定金具１０により固定されて環状として蓋部５に対し分離不能に取り付けられている。【００３６】  次に、図８を参照して前記施錠体９による蓋部５を施封状態とした状態での前記線ファスナー３の一対のスライダー操作片４と、前記玄関扉５２に設けた取手５３に掛け回された条体７の他端部７ｂとのロック態様について説明する。【００３７】  前記条体７の他端部７ｂを図７に示す場合と同様にして予め小径の環状に形成しておき、蓋部５による前記開口部２ａの施蓋状態において、前記施錠体９の施錠片９ａを前記一対のスライダー操作片４の各穴部及び前記条体４、７の他端部７ｂの環状部分に挿通した後、この施錠片９ａを施錠体本体９ｂに嵌め付けて前記一対のスライダー操作片４、前記条体７の他端部７ｂを分離不能まロック状態とする。【００３８】  次に、図９を参照して前記自立支持体１１について説明する。【００３９】  前記自立支持体１１は、薄型板状の一対の平４１と行配置の支持脚体４１、
４１と、各支持脚体４１、４１の後端近傍位置から垂直上方に起立させた一対のネット体支持金具４２、４２と、この一対のネット体支持金具４２、４２によりボルト、ナット等の締結具を用いて垂直配置の支持したワイヤーネット体４３と、を有している。【００４０】  前記自立支持体１１の各要素は、例えばアルミニウム材のような軽量素材を用いて軽量に形成されている。【００４１】  そして、前記支持脚体４１、４１上で、且つ、前記ワイヤーネット体４３の前面側で前記宅配物用バッグ体６を自立状態にしかもバッグ本体２の底片３４を地面等から浮かした状態で支持するように構成している。【００４２】  図１０は、本実施例に係る自立折り畳み式宅配バッグ１の宅配物Ｍを収納した具体的使用態様を示すものである。【００４３】  宅配物Ｍの配達が予定されている住居に居住する受取人は、予め本実施例に係る自立折り畳み式宅配バッグを図３に示すように折り畳み状態とし、玄関扉５２の近傍等に置いて出かける。【００４４】  宅配物Ｍの配達担当者が当該住居宛ての宅配物Ｍを配達し、このとき、不在と判断した場合には、前記自立折り畳み宅配バッグ１を手動操作にて図１に示すような拡開状態でかつ蓋部５を開いた状態として宅配物用バッグ体６の開口部２ａから宅配物Ｍをその内部に入れる。【００４５】  次いで前記蓋部５の開口部２ａに被せ、前記施錠体９の施錠片９ａを、前記一対のスライダー操作片４の各穴部及び取手５３に掛け回した前記条体７の他端部７ｂの環状部分に挿通した後で、この施錠片９ａを施錠体本体９ｂに嵌め付けて前記一対のスライダー操作片４、前記条体７の他端部７ｂを分離不能な事故がロック状態として配達完了とする。【００４６】  その後、帰宅した宅配物Ｍの受取人は、自己が保有する鍵で前記施錠体９を開、のスライダー操作片４の手動操作にて前記蓋部５の施蓋状態を解除し、開口部２ａ内から宅配物Ｍを取り出す。【００４７】  以上により留守中に住居に配達された宅配物Ｍをその住居に居住する受取人が帰宅後簡略容易に収受することができる。【００４８】  本実施例の係る自立折り畳み式宅配バッグによれば、全体として、各種宅配物Ｍに対する収納自由度が大きく、収納した宅配物Ｍの盗難防止の観点からセキュリティー性に優れ、耐水性にも優れ、且つ、省スペース化が図れ、軽量で取り扱い性に優れ、しかも簡略構造であり、主に一般個人住宅における留守時の宅配物の受け取り用として好適となる。【００４９】  本実施例における宅配物Ｍの種類、及び、本実施例における自立折り畳み式宅配バッグ１の収納容量としては、例えば下記のような例を挙げることができる。【００５０】  すなわち、ペットボトル（容量５００ｍｌ：２４本、容量１リットル：１２本、容量１．５リットル：８本、容量２リットル：６本）、缶類の内コーヒー系（容量１３５ｍｌ：３０本）、缶類の内ビール系（容量３５０ｍｌ：２４本）、ミカン箱１０ｋｇ入り、米類１０ｋｇ袋、各種段ボール箱等である。【００５１】  本実施例に係る自立折り畳み式宅配バッグ１に関するさらなる効果について言及すると、以下のような諸点を挙げることができる。【００５２】  即ち、災害非常時における非常用バッグとして、重要荷物等を入れて持ち運べる。���の際、防水性を有することから収納物の濡れ防止が図れる。【００５３】  又、緊急時の避難所等において、内部に収納物入れた状態で施錠体９により施錠しておけば盗難防止を図れる。【００５４】  さらに、内部に収納物入れ、条体７を付近の固定物に掛け回し、線ファスナー３のスライダー操作片４と、前記条体７の他端部７とを施錠体９により分離不能にロックしておけば、矢張り盗難防止が図れる。
【産業上の利用可能性】
【００５５】  本考案の自立折り畳み式宅配バッグは、上述したように留守宅への宅配物配達用として利用する場合の他、これとは逆に荷物の配達人が当該バッグ内に荷物を入れ施錠して玄関先に据え置いて住宅を留守にし、この後予め鍵を集配担当者が当該バック内の荷物を集配するような用途にも適用可能である。【００５６】  又本考案の自立折り畳み式宅配バッグを構成する素材に断熱素材である発砲スチロール或は発砲ウレタンを採用することによって当該自立折り畳み式宅配バックに入れる品物の種類が拡大でき大変便利になるものである。この場合、より断熱を求める品物を入れる場合なら発砲ウレタンを素材として用いるとよい。【００５７】  又前記自立折り畳み式宅配バックを構成する素材が透明でなく色付きで中に薄い宅配物が入っていた場合、家人は宅配物が入っているか否かが分からない恐れがあるので自立折り畳み式宅配バックを構成するバック本体、蓋部、宅配物用バッグ体のいずれかの外側に透明なポケットを設け、これに裏表が色違いのカードを（例えば宅配物が入っている場合は「赤」、宅配物が入っていない場合は「白」）が出るように入れると有り、無しがはっきりする。【００５８】  以上詳述したように本考案はその要旨を逸脱しない範囲で種々の応用が可能であり、それらも本考案に含まれるものである。
【符号の説明】
【００５９】１      自立折り畳み式宅配バッグ
２      バッグ本体
２ａ    開口部
３      線ファスナー
４      スラーダ―操作片
５      蓋部
６      宅配物用バッグ体
７      条体
７ａ    一端部
７ｂ    他端部
８      ワイヤ材
９      施錠体
９ａ    施錠片
１０    固定金具
１１    自立支持体
１４    面ファスナー
１５    面ファスナー
２１    取り付け片部
２２    蓋片部
２２ａ  端部領域
２３    熱溶着代
２４    熱溶着領域
２５    ハトメ穴
２６    ホック穴
３０    ハトメ
３１    後部上片
３２    前面上片
３３    前面下片
３４    底片
３５    後部下片
３６    熱溶着代
３７    右側片
３８    左側片
３９    熱溶着領域
４０    ホック穴
４１    支持脚体
４２    ワイヤーネット体支持金具
４３    ワイヤーネット体
５１    建造物
５２    玄関扉
５３    取手
Ｍ    宅配物
【図１】
0003226538.tif 000003
【図２】
0003226538.tif 000004
【図３】
0003226538.tif 000005
【図４】
0003226538.tif 000006
【図５】
0003226538.tif 000007
【図６】
0003226538.tif 000008
【図７】
0003226538.tif 000009
【図８】
0003226538.tif 000010
【図９】
0003226538.tif 000011
【図１０】
0003226538.tif 000012
【手続補正書】
【提出日】令和1年12月9日(2019.12.9)
【手続補正１】
【補正対象書類名】実用新案登録請求の範囲
【補正対象項目名】全文
【補正方法】変更
【補正の内容】
【実用新案登録請求の範囲】
【請求項１】
袋状で開口部から内部に入れられる宅配物を収納するとともに袋状部分を折り畳み、拡開可能に構成したバッグ本体と、前記バッグ本体の開口部を一対のスライダー操作片を用いた線ファスナーを使用して開口状態又は施封状態とする蓋部とを一体化した耐水性素材、軽量素材を用いた宅配物用バッグ体と、
一対の支持脚体と、各支持脚体の後端近傍位置から垂直上方に起立させた一対のネット体支持金具と、この一対のネット体支持金具により締結具を用いて垂直配置に支持したワイヤーネット体と、具備し、前記一対の支持脚体上で、且つ、前記ワイヤーネット体の前面側で前記宅配物用バッグ体を自立状態に支持する軽量素材からなる自立支持体と、
前記宅配物用バッグ体に一端部が分離不能に取り付けられ、建造物の固定部材に中間部が掛け回される防犯用のワイヤ材を含む条体と、
施錠片を、施封状態とした前記一対のスライダー操作片の各穴部及び前記条体の他端部の環状部分に挿通した後、この施錠片を施錠体本体に嵌め付けて前記一対のスライダー操作片、前記条体の他端部を分離不能にロック状態とする施錠体と、
を有することを特徴とする自立折り畳み式宅配バッグ。
【請求項２】
袋状で開口部から内部に入れられる宅配物を収納するとともに袋状部分を折り畳み、拡開可能に構成したバッグ本体と、前記バッグ本体の開口部を一対のスライダー操作片を用いた線ファスナーを使用して開口状態又は施封状態とする蓋部とを一体化した耐水性素材、軽量素材を用いた宅配物用バッグ体と、
一対の支持脚体と、各支持脚体の後端近傍位置から垂直上方に起立させた一対のネット体支持金具と、この一対のネット体支持金具により締結具を用いて垂直配置に支持したワイヤーネット体と、具備し、前記一対の支持脚体上で、且つ、前記ワイヤーネット体の前面側で前記宅配物用バッグ体を自立状態で底片を地面等から浮かした状態で支持する軽量素材からなる自立支持体と、
前記宅配物用バッグ体に一端部が分離不能に取り付けられ、建造物の固定部材に中間部が掛け回される防犯用のワイヤ材を含む条体と、
施錠片を、施封状態とした前記一対のスライダー操作片の各穴部及び前記条体の他端部の環状部分に挿通した後、この施錠片を施錠体本体に嵌め付けて前記一対のスライダー操作片、前記条体の他端部を分離不能にロック状態とする施錠体と、
を有することを特徴とする自立折り畳み式宅配バッグ。
【請求項３】
前記宅配物用バッグ体は、ターポリン材を用い熱溶着による所要部分の溶着により形成されたものであることを特徴とする請求項１又は２記載の自立折り畳み式宅配バッグ。
【請求項４】
前記自立支持体は、アルミニューム材を用いて形成されたものであることを特徴とする請求項１乃至３のいずれかに記載の自立折り畳み式宅配バッグ。
【手続補正２】
【補正対象書類名】明細書
【補正対象項目名】０００９
【補正方法】変更
【補正の内容】
【０００９】    本考案に係る自立折り畳み式宅配バッグは、袋状で開口部から内部に入れられる宅配物を収納するとともに袋状部分を折り畳み、拡開可能に構成したバッグ本体と、前記バッグ本体の開口部を一対のスライダー操作片を用いた線ファスナーを使用して開口状態又は施封状態とする蓋部とを一体化した耐水性素材、軽量素材を用いた宅配物用バッグ体と、一対の支持脚体と、各支持脚体の後端近傍位置から垂直上方に起立させた一対のネット体支持金具と、この一対のネット体支持金具により締結具を用いて垂直配置に支持したワイヤーネット体と、具備し、前記一対の支持脚体上で、且つ、前記ワイヤーネット体の前面側で前記宅配物用バッグ体を自立状態に支持する軽量素材からなる自立支持体と、前記宅配物用バッグ体に一端部が分離不能に取り付けられ、建造物の固定部材に中間部が掛け回される防犯用のワイヤ材を含む条体と、施錠片を、施封状態とした前記一対のスライダー操作片の各穴部及び前記条体の他端部の環状部分に挿通した後、この施錠片を施錠体本体に嵌め付けて前記一対のスライダー操作片、前記条体の他端部を分離不能にロック状態とする施錠体と、を有することを最も主要な特徴とする。
【手続補正３】
【補正対象書類名】明細書
【補正対象項目名】００１０
【補正方法】変更
【補正の内容】
【００１０】    請求項１記載の考案によれば、前記バッグ本体と、宅配物用バッグ体と、自立支持体と、施錠体と、を有する構成の基に、宅配物に対する収納自由度が大きく、盗難防止等の為のセキュリティ性に優れ、且つ、省スペース化が図れ、しかも簡略構造であり、主に一般個人住宅における留守時の宅配物の受け取り用として好適な自立折り畳み式宅配バッグを提供することができる。
【手続補正４】
【補正対象書類名】明細書
【補正対象項目名】００１１
【補正方法】変更
【補正の内容】
【００１１】    請求項２の記載の考案によれば、請求項１の記載の考案と同様、宅配物に対する収納自由度が大きく、盗難防止等のためのセキュリティ性に優れ、且つ、省スペース化が図れ、軽量で取り扱い性、耐水性に優れ、しかも簡略構造であり、主に一般個人住宅における留守時の宅配物の受け取り用として好適な自立折り畳み式宅配バッグを提供することができる。
【手続補正５】
【補正対象書類名】明細書
【補正対象項目名】００１２
【補正方法】変更
【補正の内容】
【００１２】    請求項３記載の考案によれば、請求項１又は２記載の考案において、前記宅配物用バッグ体を、ターポリン材を用い熱溶着による所要部分の溶着により形成した構造を採用することにより、請求項１又は２記載の考案と同様な効果を奏する自立折り畳み式宅配バッグを提供することができる。
【手続補正６】
【補正対象書類名】明細書
【補正対象項目名】００１３
【補正方法】変更
【補正の内容】
【００１３】    請求項４記載の考案によれば、請求項１乃至３のいずれかに記載の考案において、前記自立支持体を、軽量なアルミニューム材を用いて形成した構成の基に、請求項１乃至３のいずれかに記載の考案と同様な効果を奏する自立折り畳み式宅配バッグを提供することができる。
【手続補正７】
【補正対象書類名】明細書
【補正対象項目名】００１５
【補正方法】変更
【補正の内容】
【００１５】  本考案は、宅配物に対する収納自由度が大きく、盗難防止等のためのセキュリテイー性、耐久性にも優れ、且つ、省スペース化が図れ、軽量で取り扱い性に優れ、しかも簡略構造で有り、主に一般個人住宅における留守時の宅配物の受け取り用として好適な自立折り畳み式宅配バッグを提供するという目的を、袋状で開口部から内部に入れられる宅配物を収納するとともに袋状部分を折り畳み、拡開可能に構成したバッグ本体と、前記バッグ本体の開口部を一対のスライダー操作片を用いた線ファスナーを使用して開口状態又は施封状態とする蓋部とを一体化した耐水性素材、軽量素材を用いた宅配物用バッグ体と、一対の支持脚体と、各支持脚体の後端近傍位置から垂直上方に起立させた一対のネット体支持金具と、この一対のネット体支持金具により締結具を用いて垂直配置に支持したワイヤーネット体と、具備し、前記一対の支持脚体上で、且つ、前記ワイヤーネット体の前面側で前記宅配物用バッグ体を自立状態で底片を地面等から浮かした状態で支持する軽量素材からなる自立支持体と、前記宅配物用バッグ体に一端部が分離不能に取り付けられ、建造物の固定部材に中間部が掛け回される防犯用のワイヤ材を含む条体と、施錠片を、施封状態とした前記一対のスライダー操作片の各穴部及び前記条体の他端部の環状部分に挿通した後、この施錠片を施錠体本体に嵌め付けて前記一対のスライダー操作片、前記条体の他端部を分離不能にロック状態とする施錠体と、を有する構成により実現した。
【手続補正書】
【提出日】令和2年3月12日(2020.3.12)
【手続補正１】
【補正対象書類名】実用新案登録請求の範囲
【補正対象項目名】全文
【補正方法】変更
【補正の内容】
【実用新案登録請求の範囲】
【請求項１】
袋状で開口部から内部に入れられる宅配物を収納するとともに袋状部分を折り畳み、拡開可能に構成したバッグ本体と、前記バッグ本体の開口部を一対のスライダー操作片を用いた線ファスナーを使用して開口状態又は施封状態とする蓋部とを一体化した耐水性素材、軽量素材を用いた宅配物用バッグ体と、
一対の支持脚体と、各支持脚体の後端近傍位置から垂直上方に起立させた一対のネット体支持金具と、この一対のネット体支持金具により締結具を用いて垂直配置に支持したワイヤーネット体と、具備し、前記一対の支持脚体上で、且つ、前記ワイヤーネット体の前面側で前記宅配物用バッグ体を自立状態に支持する軽量素材からなる自立支持体と、
前記宅配物用バッグ体に一端部が分離不能に取り付けられ、建造物の固定部材に中間部が掛け回される防犯用のワイヤ材を含む条体と、
施錠片を、施封状態とした前記一対のスライダー操作片の各穴部及び前記条体の他端部の環状部分に挿通した後、この施錠片を施錠体本体に嵌め付けて前記一対のスライダー操作片、前記条体の他端部を分離不能にロック状態とする施錠体と、
を有することを特徴とする自立折り畳み式宅配バッグ。
【請求項２】
袋状で開口部から内部に入れられる宅配物を収納するとともに袋状部分を折り畳み、拡開可能に構成したバッグ本体と、前記バッグ本体の開口部を一対のスライダー操作片を用いた線ファスナーを使用して開口状態又は施封状態とする蓋部とを一体化した耐水性素材、軽量素材を用いた宅配物用バッグ体と、
一対の支持脚体と、各支持脚体の後端近傍位置から垂直上方に起立させた一対のネット体支持金具と、この一対のネット体支持金具により締結具を用いて垂直配置に支持したワイヤーネット体と、具備し、前記一対の支持脚体上で、且つ、前記ワイヤーネット体の前面側で前記宅配物用バッグ体を自立状態で底片を地面から浮かした状態で支持する軽量素材からなる自立支持体と、
前記宅配物用バッグ体に一端部が分離不能に取り付けられ、建造物の固定部材に中間部が掛け回される防犯用のワイヤ材を含む条体と、
施錠片を、施封状態とした前記一対のスライダー操作片の各穴部及び前記条体の他端部の環状部分に挿通した後、この施錠片を施錠体本体に嵌め付けて前記一対のスライダー操作片、前記条体の他端部を分離不能にロック状態とする施錠体と、
を有することを特徴とする自立折り畳み式宅配バッグ。
【請求項３】
前記宅配物用バッグ体は、ターポリン材を用い熱溶着による所要部分の溶着により形成されたものであることを特徴とする請求項１又は２記載の自立折り畳み式宅配バッグ。
【請求項４】
前記自立支持体は、アルミニューム材を用いて形成されたものであることを特徴とする請求項１乃至３のいずれかに記載の自立折り畳み式宅配バッグ。
【手続補正２】
【補正対象書類名】明細書
【補正対象項目名】００１５
【補正方法】変更
【補正の内容】
【００１５】  本考案は、宅配物に対する収納自由度が大きく、盗難防止等のためのセキュリテイー性、耐久性にも優れ、且つ、省スペース化が図れ、軽量で取り扱い性に優れ、しかも簡略構造で有り、主に一般個人住宅における留守時の宅配物の受け取り用として好適な自立折り畳み式宅配バッグを提供するという目的を、袋状で開口部から内部に入れられる宅配物を収納するとともに袋状部分を折り畳み、拡開可能に構成したバッグ本体と、前記バッグ本体の開口部を一対のスライダー操作片を用いた線ファスナーを使用して開口状態又は施封状態とする蓋部とを一体化した耐水性素材、軽量素材を用いた宅配物用バッグ体と、一対の支持脚体と、各支持脚体の後端近傍位置から垂直上方に起立させた一対のネット体支持金具と、この一対のネット体支持金具により締結具を用いて垂直配置に支持したワイヤーネット体と、具備し、前記一対の支持脚体上で、且つ、前記ワイヤーネット体の前面側で前記宅配物用バッグ体を自立状態で底片を地面から浮かした状態で支持する軽量素材からなる自立支持体と、前記宅配物用バッグ体に一端部が分離不能に取り付けられ、建造物の固定部材に中間部が掛け回される防犯用のワイヤ材を含む条体と、施錠片を、施封状態とした前記一対のスライダー操作片の各穴部及び前記条体の他端部の環状部分に挿通した後、この施錠片を施錠体本体に嵌め付けて前記一対のスライダー操作片、前記条体の他端部を分離不能にロック状態とする施錠体と、を有する構成により実現した。